(57)【特許請求の範囲】
【請求項１】
３つの鋭利な切刃先（３０、３１、３２）を形成している３つの縦溝（２０、２１、２２）を構成する作用面部（１０）を刃として有するリーマー型の歯の根管治療具（１）において、前記３つの鋭利な切刃先（３０、３１、３２）が、二等辺三角形の頂点に位置する根管治療具の製造方法であって、
前記２つの縦溝（２０、２１）を、１２０°間隔での２つの同一の連続した機械加工によって形成し、それから、前記第３の縦溝（２２）を、前記第１の機械加工より深く機械加工して形成し、
前記第３の縦溝（２２）の深さが、前記作用面部（１０）の先端側では前記２つの縦溝（２０、２１）より深く、前記先端から離れるにつれて前記縦溝（２０、２１）の深さと同一になる
ことを特徴とする根管治療具の製造方法。
【請求項２】
請求項１に係る根管治療具（１）を製造する方法で製造したことを特徴とする歯の根管治療具。
【発明の詳細な説明】
【０００１】
【発明の属する技術分野】
本発明は、歯内療法用の根管治療具及びその製造方法に関し、特にリーマー型のものに関し、さらに詳細には、３つの鋭利な切刃先で３つの縦溝を形成している「刃」と称される作用面部を有するものに関する。
【０００２】
【従来の技術及び発明が解決しようとする課題】
３つの鋭利な切刃先を形成している３つの縦溝を構成する作用面を有する根管治療具は、先行技術ですでに公知である。
【０００３】
特に、この型の器具は、先行技術であるフランス特許出願第９６０４９８７号及び第９６１４３４７号に開示がある。
【０００４】
前記特許出願の器具は、３つ以上の鋭利な切刃先を外周の対称位置に有する。
【０００５】
したがって、カーブしている歯の根管内でこの器具を回転させて使用すると、印加される力のバランスに応じて根管の軸線に追従する。
【０００６】
この型の器具は満足である性能を発揮するが、根管が円形横断面の穴とみなせない場合は除かなければならない。その理由は、この場合には、根管を調製している間に印加される力を釣り合わせることができず、しかも、器具の軌道が根管の軸線から外れる危険性が高いためである。このずれにより、根管の経路を不正にしてしまうどころか、根管に穴を開けてしまう事態にさえ至るので、非常に重大な結果をもたらすものと言うことができる。
【０００７】
本発明の目的は、このような先行技術の問題点を解決でき、刃によるこのような危険を回避できるリーマー型の歯の根管治療具及びその製造方法を提供することである。
【０００８】
【課題を解決するための手段】
この目的は、器具の外周形状の対称性を故意に壊すことによって達成される。
【０００９】
外周形状に対称性がないと、たとえば、曲がりに対する刃の抵抗が全方向で同一にならないので、器具の先端が歯の根管を捜し出して自然にその中に深く入り込むことになる。
【００１０】
そこで、本発明に係る根管治療具は、３つの鋭利な切刃先を形成している３つの縦溝を構成する作用面を有し、３つの鋭利な切刃先が二等辺三角形の頂点に位置する構成としてある。
【００１１】
本発明は、根管治療具の製造方法にも関する。
【００１２】
本発明の請求項１に係る歯の根管治療具の製造方法は、上記目的を達成するために、３つの鋭利な切刃先（３０、３１、３２）を形成している３つの縦溝（２０、２１、２２）を構成する作用面部（１０）を刃として有するリーマー型の歯の根管治療具（１）において、前記３つの鋭利な切刃先（３０、３１、３２）が、二等辺三角形の頂点に位置する根管治療具の製造方法であって、
前記２つの縦溝（２０、２１）を、１２０°間隔での２つの同一の連続した機械加工によって形成し、それから、前記第３の縦溝（２２）を、前記第１の機械加工より深く機械加工して形成し、
前記第３の縦溝（２２）の深さが、前記作用面部（１０）の先端側では前記２つの縦溝（２０、２１）より深く、前記先端から離れるにつれて前記縦溝（２０、２１）の深さと同一になることを特徴とする。
【００１５】
同請求項２に係る歯の根管治療具は、上記目的を達成するために、請求項１に係る根管治療具を製造する方法で製造したことを特徴とする。
【００１７】
【発明の実施の形態】
以下本発明の実施の形態を図面を参照して説明する。
本発明は、以下に参照する実施の形態の説明からよりよく理解できるであろう。なお本発明は、以下の実施形態には制限されないで、符号を付して説明する。
【００１８】
図１に示すように、本発明に係る根管治療具（１）は、３つの鋭利な切刃先（３０、３１、３２）を構成している３つの縦溝（２０、２１、２２）が形成されている作用面部（１０）を有するリーマー型の歯の根管治療具であり、３つの鋭利な切刃先（３０、３１、３２）が二等辺三角形の頂点に位置しているという点が特徴である。
【００１９】
このタイプの全ての根管治療具と同様に、本発明に係る器具は、「刃」となる作用面部（１０）を有する。作用面部（１０）は切削によって先細の円錐状とした形状を有する。ほとんどの場合、このような円錐形状は、切削用の回転刃を軸線に沿って移動させて加工する間に徐々に器具の軸から離していくことで得られる。
【００２０】
比較のために、３つの同一の縦溝（２０、２１、２２）を機械加工することによって１２０°間隔の３つの鋭利な切刃先（３０、３１、３２）を形成した先行技術の根管治療具（０）を図１に示す。
【００２１】
また本発明は、根管治療具の製造方法にも関し、図２で示すように、本発明に係る器具（１）を作り出す第１の方法は、１２０°間隔で２つの同一の連続機械加工を実行することによって２つの縦溝（２０、２１）を作り出し、ついで第３の機械加工によって先に加工した二つより深い第３の縦溝（２２）を作り出すというものである。
【００２２】
第３の縦溝（２２）の深さは、器具の作用面部（１０）先端細径側において第１の２つの縦溝（２０、２１）より深く、そこから離れると２つの縦溝（２０、２１）の深さと徐々に同一になる。
【００２３】
すなわち、第３の縦溝（２２）の深さは、作用面部（１０）の端部及び作用面部（１０）に差しかかる前の部位で２つの縦溝（２０、２１）と同一になる。
【００２４】
図３で示したように、本発明に係る器具（１）を作り出す第２の方法は、１２０°より大きい角度で、２つの同一の連続した機械加工を実行することによって２つの縦溝（２０、２１）を作り出し、それから第３の機械加工を実行することによって、第３の縦溝（２２）を作り出す際に、第１の２つの縦溝（２０、２１）に対する補足的な加工をすることである。
【００２５】
図４で示したように、本発明に係る器具（１）を作り出す第３の方法は、１２０°より小さい角度で、２つの同一の連続した機械加工を実行することによって２つの縦溝（２０、２１）を作り出し、それから第３の機械加工を実行することによって、第３の縦溝（２２）を作り出す際に、第１の２つの縦溝（２０、２１）に対する補足的な加工をすることである。
【００２６】
【発明の効果】
本発明に係るリーマー型の歯の根管治療具及びその製造方法は、以上説明してきたように、従来のように刃によって、根管の経路を不正にしてしまったり、根管に穴を開けてしまったりするという危険を回避できるという効果がある。
【図面の簡単な説明】
【図１】  先行技術の根管治療具の断面図であり、３つの鋭利な切刃先は、正三角形の頂点に位置している。
【図２】  第１の方法によって得られる製品である本発明に係る根管治療具の断面図である。
【図３】  第２の方法によって得られる製品である本発明に係る根管治療具の断面図である。
【図４】  第３の方法によって得られる製品である本発明に係る根管治療具の断面図である。
【符号の説明】
１  根管治療具
１０  作用面部
２０、２１、２２  縦溝
３０、３１、３２  切刃先
【図１】
0004320750.tif 000002
【図２】
0004320750.tif 000003
【図３】
0004320750.tif 000004
【図４】
0004320750.tif 000005